(57)【要約】      （修正有）【課題】被介護者の足首を安全にしっかりサポートし、また、運動機能の補助や治療回復効果があり、かつ介護者の負担を軽減する介護用くつ下を提供する。【解決手段】くつ下に面ファスナー或いはファスナー１，２を配置し、はかせるのではなく、包み込んでワンタッチで面ファスナー或いはファスナー１，２で接着して装着できる構造とする。そのくつ下生地に伸縮機能と遠赤外線放出機能を持たせた保護・固定・治療効果のあるテーピングテープまたは運動力学身体機能回復テープ３〜８を当初より生地の効果的箇所に配置し、一体化して織り込み、或いは縫い込み、その両端に面ファスナー或いはファスナー１，２を配置して締め具合を調整できるようにする。そのことで、骨や筋、筋肉の保持、固定保護、並びに故障箇所の治療効果を持たせる。【選択図】図２
0003192631.tif 000002
【実用新案登録請求の範囲】
【請求項１】
老人や病人、障害者、負傷者等の被介護者に介護者がくつ下をはかせる際の労力の軽減とその際に起きかねない被介護者の足の故障を防ぐため、マジックテープ、或いはファスナーを利用し（図１）、包み込み構造（図２）によるワンタッチ簡易装着機能を持たせたもの。
【請求項２】
その生地に当初より伸縮機能と赤外線放出効果を持たせた運動力学身体機能回復テープを有効に数本配置して織り込み、或いは縫い込み、その両端にマジックテープ、或いはファスナーを配し、伸縮の強弱を調整する構造を持たせることにより、足首や足の甲、及び故障箇所の治療効果を持たせたもの。
【考案の詳細な説明】
【技術分野】
【０００１】本案件は、固定、保護及び治療効果のある簡易装着機能を持った介護用くつ下に関するものである
【背景技術】
【０００２】介護が必要な老人や病人、障害者、負傷者等に介護者等がくつ下をはかせる際、普通のくつ下では必要以上の力を加えるため、往々にして足首の捻挫、その他、骨や筋、筋肉に故障を起こしたりしていた。特に、老人等弱っている骨に損傷を与えることがあり、問題となっている。
【考案が解決しようとする課題】
【０００３】従来の介護用くつ下と称する商品は、少しはかせ易いようにくつ下自体にゆるい伸縮性を持たせて、だぶつきを持たせるとともに、その底部に滑り止めのゴムを点状に並べてあるもので、普通のくつ下よりは、はかせ易いものの、足を通してはかせるという点で、足首の捻挫や骨の損傷等、故障を解決するものではなかった。
【０００４】また、くつ下をはかせる際の利便性はもちろん、保護・固定、並びに治療効果をもったものは存在せず、被介護者の足首を安全にしっかりサポートし、かつ介護者の負担を軽減するくつ下の開発が課題であった。
【課題を解決するための手段】
【０００５】これらの欠点や課題を解決し、はかせる際の利便性と足首の保護・固定、並びに治療効果を持たせるため、くつ下にマジックテープ、或いはファスナーを「図１」のように配置し、はかせるのではなく、包み込んでワンタッチでマジックテープ、或いはファスナーで接着して装着できる構造とする（図２）。
【０００６】そのくつ下生地に伸縮機能と遠赤外線放出機能を持たせた保護・固定・治療効果のあるテーピングテープ（運動力学身体機能回復テープ、別名キネシオテープ）を当初より生地の効果的箇所に配置し、一体化して織り込み、或いは縫い込み、その両端にマジックテープ、或いはファスナーを配置して締め具合を調整できるようにする。そのことで、骨や筋、筋肉の保持、固定保護、並びに故障箇所の治療効果を持たせる。
【考案の効果】
【０００７】包み込んでワンタッチでマジックテープ、或いはファスナーで接着して装着できる構造とすることで、被介護者と介護者双方の装着の際の負担を大幅に軽減し、またけがなどの防止に役立つ。
さらに、伸縮機能と遠赤外線放出機能を持たせた保護・固定・治療効果のあるテーピングテープを当初より織り込む、或いは縫い込むことで、骨や筋、筋肉の保持、固定・保護のみならず、故障箇所の治療効果を持たせ、回復を早めることに役立つ。
【０００８】加えて、足の故障部分の骨、筋、筋肉の補助、固定・保護、並びに包み込み構造により、三角巾や包帯よりも装着が容易となり、交通事故やスポーツ時の負傷による救急時の応急措置にも極めて有効である。
【図面の簡単な説明】
【図１】マジックテープ或いはファスナーによる簡易装着機能を持った介護用くつ下の装着前の開放状態の斜視図である。
【図２】当該くつ下装着時のマジックテープ或いはファスナーの状態、及びテーピングテープの装着状況の配置斜視図である。
【符号の説明】１．マジックテープ或いはファスナー部分
２．マジックテープ或いはファスナー、及びテーピングテープ布分
３．遠赤外線放出機能を持ったテーピングテープ織り込み或いは縫い込み配置部分
４．遠赤外線放出機能を持ったテーピングテープ織り込み或いは縫い込み配置部分
５．遠赤外線放出機能を持ったテーピングテープ織り込み或いは縫い込み配置部分
６．遠赤外線放出機能を持ったテーピングテープ織り込み或いは縫い込み配置部分
７．遠赤外線放出機能を持ったテーピングテープ織り込み或いは縫い込み配置部分
８．遠赤外線放出機能を持ったテーピングテープ織り込み或いは縫い込み配置部分
【図３】
遠赤外線放出機能を持ったテーピングテープ或いは縫い込み配置部分とその両端のマジックテープの配置斜視図である。
【符号の説明】１．マジックテープ或いはファスナー部分
２．マジックテープ或いはファスナー、及びテーピングテープ布分
３．遠赤外線放出機能を持ったテーピングテープ織り込み或いは縫い込み配置部分
４．遠赤外線放出機能を持ったテーピングテープ織り込み或いは縫い込み配置部分
５．遠赤外線放出機能を持ったテーピングテープ織り込み或いは縫い込み配置部分
６．遠赤外線放出機能を持ったテーピングテープ織り込み或いは縫い込み配置部分
７．遠赤外線放出機能を持ったテーピングテープ織り込み或いは縫い込み配置部分
８．遠赤外線放出機能を持ったテーピングテープ織り込み或いは縫い込み配置部分
【図４】
締め具合を調整できるマジックテープ部分の斜視図である。
【符号の説明】１．締め具合を調整できるマジックテープ
２．締め具合を調整できるマジックテープ
【図１】
0003192631.tif 000003
【図２】
0003192631.tif 000004
【図３】
0003192631.tif 000005
【図４】
0003192631.tif 000006
【手続補正書】
【提出日】平成26年3月7日(2014.3.7)
【手続補正１】
【補正対象書類名】実用新案登録請求の範囲
【補正対象項目名】全文
【補正方法】変更
【補正の内容】
【実用新案登録請求の範囲】
【請求項１】
老人や病人、障害者、負傷者等の被介護者に介護者がくつ下をはかせる際の労力の軽減とその際に起きかねない被介護者の足の故障を防ぐため面ファスナー或いはファスナーを利用し、くつ下前面に切れ込みがあり左右に開く構造とし、その左右の縁に面ファスナー或いはファスナーを取り付け、くつ下をはかせるのではなく左右に開いた部分から包み込むように装着し面ファスナー或いはファスナーで閉じる（以下、包み込み構造）ワンタッチ簡易装着機能を持たせた介護用くつ下。
【請求項２】
くつ下生地に当初より伸縮機能と赤外線放出効果を持たせた運動力学身体機能回復テープを有効に数本配置して織り込み、或いは縫い込み、前記運動力学身体機能回復テープの両端に面ファスナー或いはファスナーを配し、伸縮の強弱を調整する構造を持たせることにより、足首や足の甲、及び故障箇所の治療効果を持たせた介護用くつ下。
【手続補正２】
【補正対象書類名】明細書
【補正対象項目名】全文
【補正方法】変更
【補正の内容】
【考案の詳細な説明】
【技術分野】
【０００１】本案件は、固定、保護及び治療効果のある簡易装着機能を持った介護用くつ下に関するものである
【背景技術】
【０００２】介護が必要な老人や病人、障害者、負傷者等に介護者等がくつ下をはかせる際、普通のくつ下では必要以上の力を加えるため、往々にして足首の捻挫、その他、骨や筋、筋肉に故障を起こしたりしていた。特に、老人等弱っている骨に損傷を与えることがあり、問題となっている。
【考案が解決しようとする課題】
【０００３】従来の介護用くつ下と称する商品は、少しはかせ易いようにくつ下自体にゆるい伸縮性を持たせて、だぶつきを持たせるとともに、その底部に滑り止めのゴムを点状に並べてあるもので、普通のくつ下よりは、はかせ易いものの、足を通してはかせるという点で、足首の捻挫や骨の損傷等、故障を解決するものではなかった。
【０００４】また、くつ下をはかせる際の利便性はもちろん、保護・固定、並びに治療効果をもったものは存在せず、被介護者の足首を安全にしっかりサポートし、かつ介護者の負担を軽減するくつ下の開発が課題であった。
【課題を解決する眼の手段】
【０００５】これらの欠点や課題を解決し、はかせる際の利便性と足首の保護・固定、並びに治療効果を持たせるため、くつ下に面ファスナー或いはファスナーを「図１」のように配置し、はかせるのではなく、包み込んでワンタッチで面ファスナー或いはファスナーで接着して装着できる構造とする（図２）。
【０００６】そのくつ下生地に伸縮機能と遠赤外線放出機能を持たせた保護・固定・治療効果のあるテーピングテープまたは運動力学身体機能回復テープを当初より生地の効果的箇所に配置し、一体化して織り込み、或いは縫い込み、その両端に面ファスナー或いはファスナーを配置して締め具合を調整できるようにする。そのことで、骨や筋、筋肉の保持、固定保護、並びに故障箇所の治療効果を持たせる。
【考案の効果】
【０００７】包み込んでワンタッチで面ファスナー或いはファスナーで接着して装着できる構造とすることで、被介護者と介護者双方の装着の際の負担を大幅に軽減し、またけがなどの防止に役立つ。
さらに、伸縮機能と遠赤外線放出機能を持たせた保護・固定・治療効果のあるテーピングテープを当初より織り込む、或いは縫い込むことで、骨や筋、筋肉の保持、固定・保護のみならず、故障箇所の治療効果を持たせ、回復を早めることに役立つ。
【０００８】加えて、足の故障部分の骨、筋、筋肉の補助、固定・保護、並びに包み込み構造により、三角巾や包帯よりも装着が容易となり、交通事故やスポーツ時の負傷による救急時の応急措置にも極めて有効である。
【図面の簡単な説明】
【０００９】
【図１】面ファスナー或いはファスナーによる簡易装着機能を持った介護用くつ下の装着前の開放状態の斜視図である。
【図２】当該くつ下装着時の面ファスナー或いはファスナーの状態、及びテーピングテープの装着状況の配置斜視図である。
【符号の説明】
【００１０】１．面ファスナー或いはファスナー部分
２．面ファスナー或いはファスナー、及びテーピングテープ布分
３．遠赤外線放出機能を持ったテーピングテープ織り込み或いは縫い込み配置部分
４．遠赤外線放出機能を持ったテーピングテープ織り込み或いは縫い込み配置部分
５．遠赤外線放出機能を持ったテーピングテープ織り込み或いは縫い込み配置部分
６．遠赤外線放出機能を持ったテーピングテープ織り込み或いは縫い込み配置部分
７．遠赤外線放出機能を持ったテーピングテープ織り込み或いは縫い込み配置部分
８．遠赤外線放出機能を持ったテーピングテープ織り込み或いは縫い込み配置部分
【図３】
遠赤外線放出機能を持ったテーピングテープ或いは縫い込み配置部分とその両端の面ファスナーの配置斜視図である。
【符号の説明】
【００１１】１．面ファスナー或いはファスナー部分
２．面ファスナー或いはファスナー、及びテーピングテープ布分
３．遠赤外線放出機能を持ったテーピングテープ織り込み或いは縫い込み配置部分
４．遠赤外線放出機能を持ったテーピングテープ織り込み或いは縫い込み配置部分
５．遠赤外線放出機能を持ったテーピングテープ織り込み或いは縫い込み配置部分
６．遠赤外線放出機能を持ったテーピングテープ織り込み或いは縫い込み配置部分
７．遠赤外線放出機能を持ったテーピングテープ織り込み或いは縫い込み配置部分
８．遠赤外線放出機能を持ったテーピングテープ織り込み或いは縫い込み配置部分
【図４】
締め具合を調整できる面ファスナー部分の斜視図である。
【符号の説明】
【００１２】１．締め具合を調整できる面ファスナー
２．締め具合を調整できる面ファスナー
【手続補正書】
【提出日】平成26年6月4日(2014.6.4)
【手続補正１】
【補正対象書類名】実用新案登録請求の範囲
【補正対象項目名】全文
【補正方法】変更
【補正の内容】
【実用新案登録請求の範囲】
【請求項１】
老人や病人、障害者、負傷者等の被介護者に介護者がくつ下をはかせる際の労力の軽減とその際に起きかねない被介護者の足の故障を防ぐため、面ファスナー或いはファスナーを利用し、くつ下前面に切れ込みがあり左右に開く構造とし、その左右の縁に面ファスナー或いはファスナーを取り付け、くつ下をはかせるのではなく左右に開いた部分から包み込むように装着し、面ファスナー或いはファスナーで閉じることを特徴とする、介護用くつ下。
【請求項２】
くつ下生地に当初より伸縮機能と赤外線放出効果を持たせた運動力学身体機能回復テープを有効に数本配置して織り込み、或いは縫い込み、前記運動力学身体機能回復テープの両端に面ファスナー或いはファスナーを配し、伸縮の強弱を調整する構造を持たせたことを特徴とする、請求項１に記載の介護用くつ下。